(57)【要約】【課題】可撓性の基材に支持された多数の書込電極において、１つの書込電極の挙動が隣接する書込電極に影響するのを抑制し、書込電極の像担持体への当接安定性を向上する。【解決手段】可撓性の基材３ｂに主走査方向に整列されて配置された所定数の書込電極３ａにおいて、互いに隣接する書込電極３ａ,３ａの間の可撓性の基材３ｂに、スリット４が副走査方向に延びるように設けられている。このスリット４により、互いに隣接する書込電極において、一方の書込電極３ａに他方の書込電極３ａの挙動が影響するのを抑制することができる。これにより、例えば他方の書込電極３ａが振動しても、この振動で一方の書込電極３ａが振動するのを効果的に防止でき、書込電極３ａの像担持体への当接安定性が向上する。【選択図】    図３
2005053053.tif 000002
【特許請求の範囲】
【請求項１】
静電潜像を書き込む複数の書込電極とこれらの書込電極を一方向に整列して支持する可撓性の基材とを備えた書込ヘッドにおいて、
複数の書込電極のうち、互いに隣接する少なくとも１組の書込電極の間の前記基材に、前記一方向と直交する方向にまたは前記一方向と略直交する方向に延びる切れ目あるいはスリットが設けられていることを特徴とする書込ヘッド。
【請求項２】
前記基材はシリコン（Ｓｉ）で形成されていることを特徴とする請求項１記載の書込ヘッド。
【請求項３】
請求項１または２記載の書込ヘッドと、前記複数の書込電極がそれぞれ当接して前記静電潜像が書き込まれる像担持体とを少なくとも備えており、
前記複数の書込電極の整列する前記一方向が主走査方向であり、前記切れ目あるいは前記スリットが延設される方向が副走査方向であることを特徴とする画像形成装置。
【発明の詳細な説明】
【技術分野】
【０００１】
本発明は、可撓性の基材に一方向に整列されかつ支持されて静電潜像を書き込む多数の書込電極を有する書込ヘッドおよびこれを用いた画像形成装置の技術分野に関する。
【背景技術】
【０００２】
従来、静電複写機やプリンタ等の画像形成装置においては、多数の書込電極が可撓性の基材に主走査方向に整列されかつ支持されて構成された書込ヘッドを備え、多数の書込電極が像担持体に当接して静電潜像を書き込む画像形成装置が提案されている（例えば、特許文献１参照）。図１２（ａ）ないし（ｃ）に示すように、この画像形成装置における書込ヘッド３の各書込電極３ａはそれぞれ像担持体に向かって突出する凸部（バンプ部）からなり、これらの凸部（バンプ部）が可撓性の基材３ｂによる比較的弱い弾性力で像担持体に軽く圧接し、像担持体の独立電極と書込電極３ａとの間で電荷が移動することにより、像担持体上に静電潜像が書き込まれるようになっている。
【特許文献１】特開２００２−２２５３３２号公報。
【発明の開示】
【発明が解決しようとする課題】
【０００３】
前述の画像形成装置の書込ヘッド３を用いて種々の書込実験を行ったところ、書込電極３ａによる静電潜像の書込が部分的に十分に行われない場合があった。そこで、その原因を検討した結果、静電潜像の書込が部分的に十分に行われない場合が生じるのは、図１３に示すように、書込電極３ａに、像担持体２に確実に当接する書込電極３ａ、像担持体２にまったく当接しない書込電極３ａ、あるいは像担持体２に十分に当接しない書込電極３ａなどがあり、書込電極３ａの像担持体２への当接が各書込電極３ａ毎にばらついて書込電極全体で一定しなく、部分的に当接不良を生じるという、各書込電極３ａの像担持体への当接不安定性によることがわかった。
【０００４】
この書込電極３ａの像担持体への当接不安定性について更に精緻に検討した結果、
(1) 各書込電極３ａが１つの可撓性の基材３ｂに一体的に支持されていること、
(2) 書込電極３ａの凸部（バンプ部）には、製造上、１〜３μｍ程度の高さのばらつきが    あること、
(3) 像担持体の表面には、製造上、１μｍ程度の高さのばらつきがあること、
(4) (2)および(3)における高さの各ばらつきは、画像形成時間が長くなればなるほど大き    くなること、
(5) 書込電極３ａと像担持体との接触状態で像担持体が回転すること等の潜像書込時に、    書込電極３ａに微小振動が起こり、この微小振動が(1)の構成のため隣接する書込電極    ３ａに影響すること、
により、前述の書込電極３ａの当接不安定性が生じることがわかった。
【０００５】
前述の書込ヘッド３においては、すべての書込電極３ａを像担持体に一定圧力で確実に当接させる必要がある。そこで、従来の書込ヘッド３において書込電極３ａが(1)のように可撓性の基材３ｂに支持されることで起こる、隣接する書込電極３ａの挙動の影響を極力なくして、すべての書込電極３ａを像担持体に確実に当接させるためには、従来の書込ヘッド３が有するこれらの(1)ないし(5)を考慮すると、基材３ｂの膜厚を薄くすることが好ましいと考えられる。しかし、基材３ｂの膜厚をあまり薄くすると、可撓性の基材３ｂの弾性力が弱くなり、逆に、すべての書込電極３ａを像担持体に確実に当接させることができなくなってしまう。
【０００６】
本発明は、このような事情に鑑みてなされたものであって、その目的は、可撓性の基材に整列されて支持された多数の書込電極において、１つの書込電極の挙動が隣接する書込電極に影響するのを抑制しつつ、書込電極の像担持体への当接安定性を向上することのできる書込ヘッドおよびこれを用いた画像形成装置を提供することである。
【課題を解決するための手段】
【０００７】
前述の課題を解決するために、請求項１の発明の書込ヘッドは、静電潜像を書き込む複数の書込電極とこれらの書込電極を一方向に整列して支持する可撓性の基材とを備えた書込ヘッドにおいて、複数の書込電極のうち、互いに隣接する少なくとも１組の書込電極の間の前記基材に、前記一方向と直交する方向にまたは前記一方向と略直交する方向に延びる切れ目あるいはスリットが設けられていることを特徴とする。
【０００８】
また、請求項２の発明は、前記基材がシリコン（Ｓｉ）で形成されていることを特徴とする。
更に、請求項１または２記載の書込ヘッドと、前記複数の書込電極がそれぞれ当接して前記静電潜像が書き込まれる像担持体とを少なくとも備えており、前記複数の書込電極の整列する前記一方向が主走査方向であり、前記切れ目あるいは前記スリットが延設される方向が副走査方向であることを特徴とする。
【発明の効果】
【０００９】
このように構成された請求項１および２の発明に係る書込ヘッド、および請求項３の発明に係る画像形成装置によれば、一方向に整列された複数の書込電極のうち、互いに隣接する少なくとも１組の書込電極の間の可撓性の基材に、一方向と直交する方向にまたは略直交する方向に切れ目あるいはスリットを延設しているので、互いに隣接する書込電極において、一方の書込電極の挙動が他方の書込電極に影響するのを切れ目あるいはスリットにより抑制することができる。
【００１０】
これにより、例えば一方の書込電極が振動しても、この振動で他方の書込電極が振動するのを効果的に防止でき、書込電極の像担持体への当接安定性が向上する。したがって、書込電極の像担持体への静電潜像の書込をより確実に行うことができ、画像形成装置は良好な画像形成を行うことが可能になる。特に、隣接する書込電極の間のすべてに切れ目あるいはスリットを設けることで、すべての書込電極において、一方の書込電極の振動で他方の書込電極が振動するのをより確実に抑制でき、すべての書込電極の像担持体への当接安定性が向上する。
また、書込電極を支持する可撓性の基材に切れ目あるいはスリットを設けるだけであり、基材の膜厚を薄くすることはないので、可撓性の基材の弾性力を効果的利用することができる。したがって、すべての書込電極を像担持体により一定の圧力で当接させることができる。
【００１１】
特に、請求項２に係る書込ヘッドによれば、可撓性の基材をシリコン（Ｓｉ）で形成しているので、書込ヘッドを従来の半導体の製造方法と同じ製造方法で簡単に製造することができる。すなわち、Ｓｉウェハをエッチング工程により書込ヘッドと同じ形状に加工し、その加工物に配線パターンおよび書込電極を形成することで、切れ目あるいはスリットを持った書込ヘッドを簡単に製造することができる。また、ＳｉウェハはＳＵＳと同程度のヤング率を示し、適度の弾性可撓性を有しているため、このＳｉウェハからなる基材を撓ませて書込電極を像担持体に軽い圧力で当接させることにより、すべての書込電極を像担持体により均一な圧力でより確実に当接させることができる。これにより、良好な静電潜像の書込を確実に行うことが可能となる。
【発明を実施するための最良の形態】
【００１２】
以下、図面を用いて本発明を実施するための最良の形態について説明する。
図１は、本発明の画像形成装置を実施するための最良の形態を模式的に示し、（ａ）はその模式図、（ｂ）はその斜視図、図２は図１に示す書込ヘッドの像担持体への当接部分周辺を部分的に拡大して示す部分拡大図である。なお、説明中の回転方向である時計方向および反時計方向は図において時計方向および反時計方向を表している。また、前述の従来の構成要素と同じ構成要素には同じ符号を付すことで、その詳細な説明は省略する。
【００１３】
図１（ａ）,（ｂ）および図２に示すように、この画像形成装置１は、アルミニウム等の導電性材料からなるとともに接地されている基材２ａの外周に設けられた絶縁性の誘電体層（絶縁体層）２ｂを有する像担持体２と、像担持体２の誘電体層２ｂ上に静電潜像を書き込む凸部（バンプ部）からなる所定数の書込電極３ａとこれらの書込電極３ａを支持する可撓性の基材３ｂと各書込電極３ａをドライバＩＣ９に電気的に接続する配線パターン３ｃと有する書込ヘッド３と、現像剤担持体である現像ローラ５ａおよび現像ローラ５ａ上の現像剤（トナー）の層厚を規制する現像剤層厚規制部材５ｂを有する現像装置５と、転写ローラ６ａを有する転写装置６とを少なくとも備えている。
【００１４】
図２に示すように、像担持体２の誘電体層２ｂには、静電潜像が書き込まれる独立フローティング電極部２ｃが誘電体層２ｂの表面から径方向内側に向いかつ誘電体層２ｂの全周にわたって設けられている。この独立フローティング電極部２ｃは、誘電体層２ｂ中に互いに電気的に独立して分散された多数の導電性微粒子２ｃ1を有している。これらの導電性微粒子２ｃ1の一部の微粒子２ｃ1は誘電体層２ｂの表面に露出した海島構造に配置されて、独立フローティング電極を構成している。
【００１５】
誘電体層２ｂの材料としては、ポリカーボネート樹脂、アクリル樹脂、スチレン系樹脂、ポリエステル樹脂、ポリアリレート樹脂、ポリサルホン、ポリフェニレンオキシド、エポキシ樹脂、ポリウレタン樹脂、アルキド樹脂、ホスファゼン樹脂、ポリアミド樹脂、塩化ビニル−酢酸ビニル共重合体樹脂、シリコ−ン樹脂等の誘電体としての特性を持つ材料が用いられる。
【００１６】
また、導電性微粒子２ｃ1の材料としては、
(1) Ｃｕ、Ａｌ、Ｎｉ、Ａｇ、Ｃ、Ｍｏ、Ｗ等の金属微粒子、
(2) ＺｎＯ（酸化亜鉛）、酸化錫、酸化アンチモン、酸化チタン等を導電性処理した微粒子（例えば、アンチモン、インジウム等をドーピングして導電化処理したもの等）、
(3) ポリアセチレン、ポリチオフィン、ポリピロール等にヨウ素をドーピングして、高分子錯体にした導電性微粒子
が用いられる。
【００１７】
書込ヘッド３において、書込電極３ａを支持する基材３ｂは、例えばＦＰＣ（Flexible Print Circuit の略、以下ＦＰＣと称す）、ＰＥＴ（ポリエチレンテレフタレートの略、以下ＰＥＴと称す）あるいはシリコンＳｉ等の電気絶縁性が高くかつ比較的柔らかく弾性のある可撓性材料から構成されている。そして、この基材３ｂは装置本体に、その一端部が装置本体の固定部８に固定され、他端が自由端である片持ちで取り付けられている。
【００１８】
所定数の書込電極３ａは、それぞれ例えばＣｕ等の電極用導電材から形成されている。これらの書込電極３ａは基材３ｂの自由端部に主走査方向（本発明の一方向に相当）に整列して配置されかつ支持されている。図１（ｂ）に示すように、各書込電極３ａは、それぞれ基材３ｂ上に設けられた配線パターン３ｃを介して、同じく基材３ｂ上に設けられたドライバＩＣ９に接続されている。潜像を書き込むための電圧がこのドライバＩＣ９を介して各書込電極３ａに印加されるようになっている。
【００１９】
そして、各書込電極３ａはそれぞれ基材３ｂの撓みによる弱い弾性復元力で像担持体２の誘電体層２ｂ上に軽く押圧されて接触し、かつ各書込電極３ａに書込電圧が印加されることで、この誘電体層２ｂにおける独立フローティング電極部２ｃの、表面に露出している導電性微粒子２ｃ1からなる独立フローティング電極に静電潜像を書き込むようになっている。
【００２０】
図３（ａ）,（ｂ）および図４（ａ）,（ｂ）に示すように、互いに隣接する書込電極３ａ,３ａの間の基材３ｂに、この基材３ｂの書込電極３ａ支持面３ｂ1から反対側の面３ｂ2まで貫通するスリット４が設けられている。このスリット４は、隣接する書込電極３ａ,３ａの間の領域を含む所定領域内で基材３ｂの自由端から副走査方向に延びるように延設されている。図３（ａ）,（ｂ）示す例では、スリット４がすべての書込電極３ａにおいて互いに隣接する書込電極３ａ,３ａの間の基材３ｂに設けられている。また、図４（ａ）,（ｂ）示す例では、スリット４が３個の書込電極３ａ毎に、互いに隣接する１組みの書込電極３ａ,３ａの間の基材３ｂに設けられている。
【００２１】
なお、これらの例に限定されることはなく、スリット４は１個以上で設けることができ、複数個設ける場合は任意の間隔（等間隔あるいは不等間隔）で設けることができる。また、スリット４は、必ずしも主走査方向と直交する副走査方向に延びるように設ける必要はなく、主走査方向と略直交する方向に延びるように設けることができることはもちろんである。
【００２２】
このように構成された画像形成装置１においては、像担持体２が図１および図２に示すように時計方向に回転し、この像担持体２の誘電体層２ｂ上を一様電荷状態にした後、書込電圧が書込電極３ａにドライバＩＣ９を介して印加され、主として、互いに接触している像担持体２の導電性微粒子２ｃ1と書込ヘッド部３の書込電極３ａとの間の電荷移動（例えば、電荷注入等）により、静電潜像が像担持体２の誘電体層２ｂにおける独立フローティング電極部２ｃ上に書き込まれる。そして、像担持体２の独立フローティング電極部２ｃ上の静電潜像が、現像装置５の現像剤層厚規制部材５ｂによって層厚が規制されかつ時計方向に回転する現像ローラ５ａによって搬送された現像剤で現像される。像担持体２上の現像剤像は、転写電圧が印加されかつ時計方向に回転する転写ローラ６ａで紙等の記録媒体（不図示）に転写される。
【００２３】
この例の書込ヘッド３を有する画像形成装置１によれば、互いに隣接する書込電極３ａ，３ａの間の可撓性の基材３ｂに、副走査方向に延びるスリット４を設けているので、互いに隣接する書込電極３ａ,３ａにおいて、このスリット４により、一方の書込電極３ａに他方の書込電極３ａの挙動が伝達されることが抑制される。これにより、図５に示すように一方の書込電極３ａが隣接する他方の書込電極３ａの挙動に影響されることはなくなる。したがって、各書込電極３ａは互いにほぼ独立して像担持体２の表面の高さのばらつき（表面の凹凸）に追従し、各書込電極３ａの像担持体２への当接がより確実に行われて、静電潜像の書込を良好に行うことができる。
【００２４】
また、他方の書込電極３ａが振動しても、この振動で一方の書込電極３ａが振動するのを効果的に防止でき、書込電極３ａの像担持体２への当接安定性が向上する。したがって、書込電極３ａの像担持体２への静電潜像の書込をより確実に行うことができ、画像形成装置１は良好な画像形成を行うことが可能になる。特に、図３（ａ）,（ｂ）に示す例では、隣接する書込電極３ａ,３ａの間の基材３ｂのすべてにスリット４を設けているので、すべての書込電極３ａにおいて、一方の書込電極３ａの振動で他方の書込電極が振動するのをより確実に抑制でき、すべての書込電極３ａの像担持体への当接安定性が向上する。
更に、書込電極３ａを支持する可撓性の基材３ｂにスリット４を設けるだけであり、基材３ｂの膜厚を薄くすることはないので、可撓性の基材３ａの弾性復元力を効果的利用することができる。したがって、すべての書込電極３ａを像担持体２により一定の圧力で当接させることができる。
【００２５】
また、可撓性の基材３ｂをシリコン（Ｓｉ）で形成することにより、書込ヘッド３を従来の半導体の製造方法と同じ製造方法で簡単に製造することができる。すなわち、Ｓｉウェハをエッチング工程により書込ヘッド３と同じ形状に加工し、その加工物に書込電極３ａおよび配線パターン３ｃを形成することで、スリット４を持った書込ヘッド３を簡単に製造することができる。また、ＳｉウェハはＳＵＳと同程度のヤング率を示し、適度の弾性の可撓性を有しているため、このＳｉウェハからなる基材３ｂを撓ませて、その基材３ｂの復元力で書込電極３ａを像担持体２に軽い圧力で当接させることにより、すべての書込電極３ａを像担持体２により均一な圧力でより確実に当接させることができる。これにより、より一層良好な静電潜像の書込を確実に行うことが可能となる。
【００２６】
図６（ａ）,（ｂ）および図７（ａ）,（ｂ）は書込ヘッドの他の例を示す、それぞれ、図３（ａ）,（ｂ）および図４（ａ）,（ｂ）と同様の図である。なお、以下の各例の説明において、その例より前に記載されている例の構成要素と同じ構成要素には同じ符号を付すことで、その詳細な説明は省略する。
【００２７】
この例の書込ヘッド３では、前述の図３（ａ）,（ｂ）および図４（ａ）,（ｂ）に示すスリット４に代えて、図６（ａ）,（ｂ）および図７（ａ）,（ｂ）に示すように、互いに隣接する書込電極３ａ,３ａの間の可撓性の基材３ｂに、切れ目７が設けられている。図６（ｂ）および図７（ｂ）に示すように、この切れ目７は、基材３ｂの書込電極３ａ支持面３ｂ1およびこの書込電極３ａ支持面３ｂ1と反対側の面３ｂ2に、それぞれ対向して基材３ｂの厚み方向に切り込むことで設けられている。したがって、切れ目７は基材３ｂの書込電極３ａ支持面３ｂ1からその反対側の面３ｂ2までは貫通していない。なお、切れ目７は、基材３ｂの書込電極３ａ支持面３ｂ1およびその反対側の面３ｂ2の一方の面のみに、設けることもできる。
【００２８】
切れ目７は、隣接する書込電極３ａ,３ａの間の領域を含む所定領域内で基材３ｂの自由端から副走査方向に延びるように延設されている。図６（ａ）,（ｂ）に示す例では、切れ目７がすべての書込電極３ａにおいて互いに隣接する書込電極３ａ,３ａの間の基材３ｂに設けられている。また、図７（ａ）,（ｂ）に示す例では、切れ目７が３個の書込電極３ａ毎に、互いに隣接する１組みの書込電極３ａ,３ａの間の基材３ｂに設けられている。もちろん、前述のスリット４の場合と同様に、切れ目７は１個以上設けることができ、複数個設ける場合には等間隔あるいは不等間隔に設けることができる。
【００２９】
この例の書込ヘッド３は、切れ目７が基材３ｂの書込電極３ａ支持面３ｂ1からその反対側の面３ｂ2までは貫通していないので、前述のスリット４ｂに比べて、一方の書込電極３ａは他方の書込電極３ａの挙動の影響を若干多く受けるが、実質的に図５に示すように作用し、前述の従来の書込ヘッドに比べては、一方の書込電極３ａは他方の書込電極３ａの挙動の影響を受けるのを大幅に抑制することができる。
図６（ａ）,（ｂ）および図７（ａ）,（ｂ）に示す例の書込ヘッド３の他の作用効果は、それぞれ、図３（ａ）,（ｂ）および図４（ａ）,（ｂ）に示す例の書込ヘッド３と同じである。
【００３０】
図８および図９はそれぞれ書込ヘッドの更に他の例を示す、図３（ａ）および図４（ａ）と同様の図である。
前述の各例の書込ヘッド３は、いずれも、所定数の書込電極３ａが基材３ｂの自由端部側に副走査方向に１列にかつ主走査方向に整列して配置されているが、この例の書込ヘッド３は、図８および図９に示すように所定数の書込電極３ａが可撓性の基材３ｂの中央部に副走査方向に２列にかつ主走査方向に整列して配置されている。その場合、１列目の書込電極３ａと２列目の書込電極３ａは、互いに千鳥状に配置されている。
【００３１】
１列目および２列目の各書込電極３ａにおいて、ともに、互いに隣接する書込電極３ａ,３ａの間の可撓性の基材３ｂに、スリット４または切れ目７が設けられている。図８に示す例では、スリット４または切れ目７がすべての書込電極３ａにおいて互いに隣接する書込電極３ａ,３ａの間の基材３ｂに設けられている。また、図９に示す例では、スリット４または切れ目７が３個の書込電極３ａ毎に、互いに隣接する１組みの書込電極３ａ,３ａの間の基材３ｂに設けられている。もちろん、前述の各例と同様に、スリット４または切れ目７は１個以上設けることができ、複数個設ける場合には等間隔あるいは不等間隔に設けることができる。この例では、各列の書込電極３ａ毎に配線パターン３ｃが設けられているとともに、書込電極３ａの各列に対応してドライバＩＣ９がそれぞれ基材３ｂの両端部に設けられている。
【００３２】
そして、前述の各例の書込ヘッド３は、可撓性の基材３ｂがいずれも片持ち支持で装置本体に固定されているが、この例の書込ヘッド３は、図示しないが可撓性の基材３ｂが両端支持で装置本体に固定され、２列の書込電極３ａともに像担持体２に同時に当接するようになっている。
図８および図９に示す例の書込ヘッド３の他の作用効果は、それぞれ、図３ないし図７に示す例の書込ヘッド３と同じである。
【００３３】
図１０および図１１はそれぞれ書込ヘッドの更に他の例を示す、図８および図９と同様の図である。
図８および図９に示す例の書込ヘッド３では、いずれも、互いに隣接する書込電極３ａ,３ａの間の可撓性の基材３ｂに、副走査方向に延びるスリット４または切れ目７が設けられているだけであるが、図１０および図１１に示す例では、１列目のスリット４または切れ目７と２列目のスリット４または切れ目７との間の基材３ｂに、主走査方向に延びるスリット４または切れ目７が設けられている。この主走査方向のスリット４または切れ目７は、すべての書込電極３ａにわたって連続して１つ設けることもできるし、所定数に分割して不連続に設けることもできる。また、図１０および図１１には、主走査方向のスリット４または切れ目７と副走査方向のスリット４または切れ目７とは互いに離間して設けられているが、互いに接触してつまり連続して設けることもできる。
図１０および図１１に示す例の書込ヘッド３の他の作用効果は、それぞれ、図８および図９に示す例の書込ヘッド３と同じである。
【産業上の利用可能性】
【００３４】
本発明の書込ヘッドおよびこれを用いた画像形成装置は、電子写真、静電複写機、プリンタ、ファクシミリ等の像担持体に静電潜像を形成する書込ヘッドおよびこれを用いた画像形成装置に好適に利用することができる。
【図面の簡単な説明】
【００３５】
【図１】本発明の画像形成装置を実施するための最良の形態を示し、（ａ）はその模式図、（ｂ）はその斜視図である。
【図２】図１に示す書込ヘッドの像担持体への当接部周辺を部分的に拡大して示す部分拡大図である。
【図３】本発明の書込ヘッドの一例を示し、（ａ）は平面図、（ｂ）は右側面図である。
【図４】本発明の書込ヘッドの他の例を示し、（ａ）は平面図、（ｂ）は右側面図である。
【図５】本発明の書込ヘッドの挙動を説明する図である。
【図６】本発明の書込ヘッドの更に他の例を示し、（ａ）は平面図、（ｂ）は右側面図である。
【図７】本発明の書込ヘッドの更に他の例を示し、（ａ）は平面図、（ｂ）は右側面図である。
【図８】本発明の書込ヘッドの更に他の例を示す平面図である。
【図９】本発明の書込ヘッドの更に他の例を示す平面図である。
【図１０】本発明の書込ヘッドの更に他の例を示す平面図である。
【図１１】本発明の書込ヘッドの更に他の例を示す平面図である。
【図１２】従来の書込ヘッドを示し、（ａ）は平面図、（ｂ）は右側面図、（ｃ）は正面図である。
【図１３】従来の書込ヘッドの挙動を説明する図である。
【符号の説明】
【００３６】
１…画像形成装置、２…像担持体、２ａ…基材、２ｂ…誘電体層、２ｃ…独立フローティング電極部、２ｃ1…導電性微粒子、３…書込ヘッド、３ａ…書込電極、３ｂ…基材、３ｃ…配線パターン、４…スリット、５…現像装置、５ａ…現像ローラ、６…転写装置、６ａ…転写ローラ、７…切れ目、８…固定部、９…ドライバＩＣ
【図１】
2005053053.tif 000003
【図２】
2005053053.tif 000004
【図３】
2005053053.tif 000005
【図４】
2005053053.tif 000006
【図５】
2005053053.tif 000007
【図６】
2005053053.tif 000008
【図７】
2005053053.tif 000009
【図８】
2005053053.tif 000010
【図９】
2005053053.tif 000011
【図１０】
2005053053.tif 000012
【図１１】
2005053053.tif 000013
【図１２】
2005053053.tif 000014
【図１３】
2005053053.tif 000015